(57)【要約】無線通信方法は、第１の通信ノードによって、第１の通信ノードと第２の通信ノードとの間の第１の通信リンク上で第２の通信ノードによるランダムアクセスプロシージャに関連する第１のパラメータのセットを構成することと、第２の通信ノードから、第１の通信リンク上で第１のパラメータのセットを使用する、ランダムアクセス信号を受信することとを含む。第１の通信ノードはまた、少なくともいくつかの伝送リソースを第１の通信リンクと共有する、第２の通信リンクを介して、無線コネクティビティを第３の通信ノードに提供する。第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む。
2021523642.tif 000002
【特許請求の範囲】
【請求項１】
無線通信のための方法であって、
第１の通信ノードによって、前記第１の通信ノードと第２の通信ノードとの間の第１の通信リンク上で前記第２の通信ノードによるランダムアクセスプロシージャに関連する第１のパラメータのセットを構成することと、
前記第２の通信ノードから、前記第１の通信リンク上で前記第１のパラメータのセットを使用する、ランダムアクセス信号を受信することと
を含み、
前記第１の通信ノードはまた、少なくともいくつかの伝送リソースを前記第１の通信リンクと共有する、第２の通信リンクを介して、無線コネクティビティを第３の通信ノードに提供し、
前記第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む、方法。
【請求項２】
前記第１の通信ノードは、前記第２の通信リンクを使用したランダムアクセスのために、前記第３の通信ノードによって使用される第２のパラメータのセット内の前記ランダムアクセスフォーマットから独立して、前記第１のパラメータのセット内に前記ランダムアクセスフォーマットを構成する、請求項１に記載の方法。
【請求項３】
前記第１の通信ノードは、第２のパラメータのセット内のランダムアクセスシーケンスインデックスセットから独立して、前記第１のパラメータのセット内に前記ランダムアクセスシーケンスインデックスセットを構成する、請求項１に記載の方法。
【請求項４】
前記第１の通信ノードは、第２のパラメータのセット内のランダムアクセスルートシーケンスインデックスおよびランダムアクセス巡回シフトから独立して、前記第１のパラメータのセット内に前記ランダムアクセスルートシーケンスインデックスおよびランダムアクセス巡回シフトを構成する、請求項１に記載の方法。
【請求項５】
前記第１の通信ノードは、前記第１の通信リンクおよび前記第２の通信リンクのために、前記ランダムアクセスシーケンスルートシーケンスインデックスを独立して構成する、請求項１に記載の方法。
【請求項６】
前記第１の通信ノードは、前記第２の通信ノードおよび第３の通信ノードのために、ランダムアクセス伝送のための伝送リソースを独立して構成する、請求項１に記載の方法。
【請求項７】
前記伝送リソースは、時間または周波数リソースを含み、前記第２の通信ノードのための伝送リソースおよび前記第３の通信ノードのための伝送リソースは、部分的に重複する、請求項６に記載の方法。
【請求項８】
無線通信の方法であって、
第１の通信ノードから、前記第１の通信ノードと第２の通信ノードとの間の第１の通信リンク上で前記第２の通信ノードによるランダムアクセスプロシージャに関連する第１のパラメータのセットを受信することと、
前記第２の通信ノードから、前記第１の通信リンク上で前記第１のパラメータのセットを使用する、ランダムアクセス信号を伝送することと
を含み、
前記第１の通信ノードはまた、少なくともいくつかの伝送リソースを前記第１の通信リンクと共有する、第２の通信リンクを介して、無線コネクティビティを第３の通信ノードに提供し、
前記第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む、方法。
【請求項９】
前記第１の通信ノードは、前記第２の通信リンクを使用したランダムアクセスのために、前記第３の通信ノードによって使用される第２のパラメータのセット内の前記ランダムアクセスフォーマットから独立して、前記第１のパラメータのセット内に前記ランダムアクセスフォーマットを構成する、請求項８に記載の方法。
【請求項１０】
前記第１の通信ノードは、第２のパラメータのセット内のランダムアクセスシーケンスインデックスセットから独立して、前記第１のパラメータのセット内に前記ランダムアクセスシーケンスインデックスセットを構成する、請求項８に記載の方法。
【請求項１１】
前記第１の通信ノードは、前記第２のパラメータのセット内のランダムアクセスルートシーケンスインデックスおよびランダムアクセス巡回シフトから独立して、前記第１のパラメータのセット内に前記ランダムアクセスルートシーケンスインデックスおよび前記ランダムアクセス巡回シフトを構成する、請求項９に記載の方法。
【請求項１２】
前記第１の通信ノードは、前記第１の通信リンクおよび前記第２の通信リンクのために、前記ランダムアクセスシーケンスルートシーケンスインデックスを独立して構成する、請求項８に記載の方法。
【請求項１３】
前記第１の通信ノードは、前記第２の通信ノードおよび前記第３の通信ノードのために、ランダムアクセス伝送のための伝送リソースを独立して構成する、請求項８に記載の方法。
【請求項１４】
前記伝送リソースは、時間または周波数リソースを含み、前記第２の通信ノードのための伝送リソースおよび前記第３の通信ノードのための伝送リソースは、部分的に重複する、請求項１３に記載の方法。
【請求項１５】
前記第２の通信ノードによって、前記第２の通信ノードが無線コネクティビティを提供する、別のネットワークノードのためのランダムアクセスパラメータを構成することをさらに含む、請求項８に記載の方法。
【請求項１６】
前記第２の通信ノードによって、前記第１の通信ノードに、前記別のネットワークノードのための前記ランダムアクセスパラメータを報告することをさらに含む、請求項１５に記載の方法。
【請求項１７】
プロセッサを備える無線通信装置であって、前記プロセッサは、請求項１〜１６のいずれかに記載の方法を実装するように構成されている、無線通信装置。
【請求項１８】
その上に記憶されたコンピュータ可読プログラム媒体コードを備える、コンピュータプログラム製品であって、前記コードは、プロセッサによって実行されると、前記プロセッサに、請求項１〜１６のいずれかに記載の方法を実装させる、コンピュータプログラム製品。
【発明の詳細な説明】
【技術分野】
【０００１】
（技術分野）
本書は、無線通信のためのシステム、デバイス、および技法に関する。
【背景技術】
【０００２】
（背景）
より優れた展開フレキシビリティ、多数のデバイスおよびサービスのためのサポート、ならびに効率的帯域幅利用のための異なる技術を提供する、次世代無線通信ネットワークを定義するための努力が、現在進行中である。次世代無線通信ネットワークはまた、現在利用可能なコアネットワーク以上に付加的サービスおよびフレキシビリティを提供する、新しいコアネットワークを展開することが予期される。
【発明の概要】
【発明が解決しようとする課題】
【０００３】
（要約）
本書は、ランダムアクセスリソースを、統合アクセスおよびバックホール（ＩＡＢ）ノード等の無線デバイスのクラスに配分するためにネットワークデバイスによって使用され得る、技術を説明する。
【課題を解決するための手段】
【０００４】
一例示的側面では、無線通信の方法が、開示される。本方法は、第１の通信ノードによって、第１の通信ノードと第２の通信ノードとの間の第１の通信リンク上で第２の通信ノードによるランダムアクセスプロシージャに関連する第１のパラメータのセットを構成することと、第２の通信ノードから、第１の通信リンク上で第１のパラメータのセットを使用する、ランダムアクセス信号を受信することとを含む。第１の通信ノードはまた、少なくともいくつかの伝送リソースを第１の通信リンクと共有する、第２の通信リンクを介して、無線コネクティビティを第３の通信ノードに提供する。第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む。
【０００５】
別の例示的側面では、別の無線通信の方法が、開示される。本方法は、第１の通信ノードから、第１の通信ノードと第２の通信ノードとの間の第１の通信リンク上で第２の通信ノードによるランダムアクセスプロシージャに関連する第１のパラメータのセットを受信することと、第２の通信ノードから、第１の通信リンク上で第１のパラメータのセットを使用する、ランダムアクセス信号を伝送することとを含み、第１の通信ノードはまた、少なくともいくつかの伝送リソースを第１の通信リンクと共有する、第２の通信リンクを介して、無線コネクティビティを第３の通信ノードに提供し、第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む。
【０００６】
さらに別の例示的側面では、プロセッサを備える、無線通信装置が、開示される。プロセッサは、本明細書に説明される方法を実装するように構成される。
【０００７】
別の例示的側面では、本明細書に説明される種々の技法は、プロセッサ実行可能コードとして具現化され、コンピュータ可読プログラム媒体上に記憶されてもよい。
【０００８】
１つ以上の実装の詳細は、付随の図面および下記の説明に記載される。他の特徴は、説明および図面から、ならびに請求項から、明白となるであろう。
【図面の簡単な説明】
【０００９】
【図１】図１は、ＩＡＢノードが展開される、無線システムの実施例を示す。
【００１０】
【図２】図２は、Ｂ４、Ａ１、およびＣ２ランダムアクセスフォーマットを使用する、物理ランダムアクセスチャネル（ＰＲＡＣＨ）フォーマットの実施例を示す。
【００１１】
【図３】図３は、ランダムアクセス伝送の衝突が生じ得る、例示的実装を示す。
【００１２】
【図４】図４は、例示的無線通信方法のフローチャートである。
【００１３】
【図５】図５は、例示的無線通信方法のフローチャートである。
【００１４】
【図６】図６は、無線通信装置の実施例のブロック図である。
【発明を実施するための形態】
【００１５】
種々の図面における同様の参照記号は、同様の要素を示す。
【００１６】
（詳細な説明）
本書は、無線通信の分野に関し、特に、モバイル通信システムにおいてＩＡＢノードのランダムアクセスリソースを配分するための方法および装置に関する。
【００１７】
本書で使用される見出しは、可読性を促進するものであって、各節に説明される実施形態および技法をその節のみに限定するものではない。故に、実施形態は、異なる節に説明される相互の技法とともに使用してもよい。
【００１８】
本発明の目的、技術的ソリューション、および利点をより明確にするために、以下は、付随の図面を参照して、本発明の実施形態を詳細に説明する。矛盾がない場合、本願における実施形態および実施形態における特徴は、恣意的に、相互に組み合わせられることができることに留意されたい。
【００１９】
簡単な議論
【００２０】
新しい世代のモバイル通信システムＮＲ（新規無線）は、２Ｇ、３Ｇ、および４Ｇシステムよりフレキシブルなネットワークネットワーキングモードならびに新しいタイプのネットワークノードの存在を可能にする。現在統合されたＩＢＡノード（統合アクセスおよびバックホールノード）は、バックホールリンクを統合し、標準ＮＲアクセスリンクは、単一セルラーカバレッジよりフレキシブルなカバレッジおよびネットワーキングを提供することができる。本方法は、将来的モバイル通信ネットワークの重要な部分となるであろう。
【００２１】
ＩＡＢノードを使用した新しい世代のモバイル通信システムに関して、ＩＡＢノードは、図１に示されるように、通常の端末ならびに他の端末によってアクセスされる基地局、すなわち、通信のためのＩＡＢノードおよびＩＡＢドナーと見なされ得、通信リンクは、バックホールリンクである。この場合、ＩＡＢノード１は、通常の端末と見なされ得るが、ＩＡＢノード１はまた、グループＡ（グループＡ）内の他の一般的端末ＵＥおよび他のＩＡＢノード２と通信することができ、通信リンクは、ＩＡＢノード１側面からのアクセスリンクである。ここでは、本ＩＡＢノード１は、特殊種類の基地局と見なされ得る。これは、ＩＡＢドナーとの他の通常の端末と他のＩＡＢノードとの間の中継となる。特殊部分は、ＩＡＢノードが、基地局および端末の特殊タイプの統合であるという事実にある。その展開場所は、通常の端末のものと非常に異なる。例えば、ＩＡＢノードは、多くの場合、軒下に固定され、それらは、通常の端末よりはるかに高く、これは、ＩＡＢドナーがＩＡＢノードへの直接無線経路を確立することを容易にする。例えば、ＩＡＢノードは、多くの場合、標準端末より多くのアンテナポートを有する。また、例えば、ＩＡＢノードは、ＩＡＢドナーから通常の端末の標準端末（図１におけるＩＡＢノード３等）カバレッジより遠く離れるように設置される必要があり得ること等である。これらの異なる点は、ＩＡＢノードとＩＡＢドナーとの間のランダムアクセスの伝送に関して異なる需要を課する。標的化された様式において、ＩＡＢノードのランダムアクセスリソースおよびフォーマットの配列および構成を考慮することが必要である。
【００２２】
基地局側技法の実施例
【００２３】
実施例Ａ１．ＩＡＢアンカまたはＩＡＢ親ノードは、ＩＡＢノードのためのランダムアクセスパラメータを構成する。構成後、ＩＡＢアンカまたはＩＡＢ親ノードは、バックホールリンク上でＩＡＢノードによって送信されるランダムアクセス信号を受信する。ランダムアクセスパラメータは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つまたは任意の組み合わせを含む。
【００２４】
実施例Ａ２．ＩＡＢノードのために構成される、ランダムアクセスパラメータのランダムアクセスフォーマットは、非ＩＡＢノードのためのランダムアクセスフォーマットから独立して構成される、実施例Ａ１における動作。例えば、独立構成は、任意のランダムアクセスパラメータが、所与のランダムアクセスフォーマットのために可能性として考えられることを意味し得る。言い換えると、ランダムアクセスフォーマットまたはランダムアクセスパラメータのうちの一方の値を前提として、他方の値が、決定的となり得ない。
【００２５】
実施例Ａ３．ＩＡＢノードのために構成されるランダムアクセスパラメータ内のランダムアクセスシーケンスインデックスセットおよび非ＩＡＢノードのためのランダムアクセスインデックスセットは、独立構成によって構成される、実施例Ａ１の動作。
【００２６】
実施例Ａ４．ＩＡＢノードのためのランダムアクセスパラメータ内のランダムアクセスルートシーケンスインデックスおよび非ＩＡＢノードのためのランダムアクセスルートシーケンスインデックスは、独立構成によって構成される、実施例Ａ１の動作。さらに、ＩＡＢノードのためのランダムアクセス巡回シフトおよび非ＩＡＢノードのためのランダムアクセス巡回シフトは、独立構成によって構成される。
【００２７】
実施例Ａ５．ＩＡＢノードのためのランダムアクセス時間−周波数ドメインリソースおよび非ＩＡＢノードのためのランダムアクセス時間−周波数ドメインリソースは、独立して構成される、実施例Ａ１の動作。例えば、２つのタイプのランダムアクセス時間−周波数リソースは、重複または部分的に重複し得ない。
【００２８】
端末側技法の実施例
【００２９】
実施例Ｂ１：ＩＡＢノードがＩＡＢノードランダムアクセスパラメータを受信する、ランダムアクセスリソースを配分するための方法。受信されたＩＡＢノードランダムアクセスパラメータに基づいて、ＩＡＢノードは、ＩＡＢノードランダムアクセスパラメータに従って、バックホールリンクのためのランダムアクセスシーケンスを送信する。ＩＡＢノードはまた、ＩＡＢ端末によって送信されるアクセスリンクのためのランダムアクセス信号を受信してもよい。ランダムアクセスパラメータは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つまたは任意の組み合わせを含む。
【００３０】
実施例Ｂ２．ＩＡＢノードランダムアクセスパラメータのランダムアクセスフォーマットおよび非ＩＡＢノードのランダムアクセスフォーマットは、独立して構成される、実施例Ｂ１の動作。例えば、独立構成は、任意のランダムアクセスパラメータが、所与のランダムアクセスフォーマットのために可能性として考えられることを意味し得る。言い換えると、ランダムアクセスフォーマットまたはランダムアクセスパラメータの値のうちの一方を前提として、他方の値は、決定的となり得ない。
【００３１】
実施例Ｂ３．ＩＡＢノードランダムアクセスパラメータ内のランダムアクセスシーケンスインデックスセットは、非ＩＡＢノードのランダムアクセスインデックスセットから独立して構成される、実施例Ｂ１の動作。
【００３２】
実施例Ｂ４．ＩＡＢノードランダムアクセスパラメータ内のランダムアクセスルートシーケンスインデックスおよび巡回シフトならびに非ＩＡＢノードランダムアクセスパラメータ内のランダムアクセスルートシーケンスインデックスおよび巡回シフトは、独立して構成される、実施例Ｂ１の動作。
【００３３】
実施例Ｂ５．ＩＡＢノードランダムアクセスパラメータ内のランダムアクセス時間−周波数リソースおよび非ＩＡＢノードランダムアクセスパラメータ内のランダムアクセス時間−周波数リソースが、独立して構成されることを特徴とする、実施例Ｂ１の動作。２つのタイプのランダムアクセス時間−周波数リソースは、重複または部分的に重複し得ない。
【００３４】
実施例Ｂ６．ＩＡＢノードは、ＩＡＢ端末へのアクセスリンクのためのランダムアクセス信号のランダムアクセスパラメータを構成する、実施例Ｂ１の動作。
【００３５】
実施例Ｂ７．ＩＡＢノードによって構成されるＩＡＢ端末へのランダムアクセスのパラメータは、ＩＡＢノードによってＩＡＢドナーまたはＩＡＢ親ノードに報告される、実施例Ｂ６の動作。
【００３６】
例示的実施形態
【００３７】
ＩＡＢノードが、次世代のモバイル通信ネットワーク内で展開されると、ＩＡＢノード展開場所およびＩＡＢノード自体のマルチアンテナ特性は、ＩＡＢノードのランダムアクセスフォーマット選択をユーザ機器（ＵＥ）等の通常の端末のものと異ならせる。ランダムアクセスフォーマット選択は、異なる距離のカバレッジ、異なるＲＦ伝送環境、および補償される必要がある付加的経路損失値に合致する必要がある。ＩＡＢノードは、概して、より高い高さを有し、多くの場合、基地局等の他のネットワークノードとより直接的無線経路を有する。これは、無線経路が主に間接的である、都市エリア内の有意に異なる伝搬環境につながる、より低い高さの通常の端末と対照的である。例えば、大部分のユーザデバイスは、車、建物、および樹木等の多くの他の干渉オブジェクトが見出される、地面から６フィート以内で動作され得る。他方で、ＩＡＢデバイスは、多くの場合、屋根上部の近傍に展開され得、２０〜３０フィートまたはそれを上回る高さで動作し、したがって、ユーザデバイスによって被られる多くの干渉体または反射体を回避し得る。
【００３８】
一般に、通常の端末は、主に、間接経路シナリオにあるため、補償される必要がある経路損失値もまた、比較的に高い。本シナリオは、無線システムに、ランダムアクセスフォーマットＢ４またはより長いフォーマットで使用することを強制し得る。ランダムアクセスフォーマットＢ４は、多数の短シーケンス（正確に言うと、１２）を有する。より短いシーケンスが、より高い経路損失を補償するためのエネルギー利得を達成するために蓄積される。しかしながら、Ｂ４フォーマットのプレフィックスおよびサフィックスのガード時間が、ランダムアクセスフォーマットＣ２のものより短いため、カバレッジ距離が基地局と端末との間の電磁信号の往復時間のみによって判定されるシナリオ下では、Ｂ４伝送の有効カバレッジは、Ｃ２のもの未満であるエリアにわたって延在する。すなわち、フォーマットＣ２は、カバレッジが、標準端末より広く、直接無線経路に基づく、シナリオのために好適である。
【００３９】
加えて、典型的には、ＩＡＢノードは、典型的ＵＥより多くのアンテナを有する。したがって、経路損失は、ランダムアクセス信号を送信するとき、ＩＡＢノードが克服する必要がある、主要な伝送障害物ではない。ランダムアクセスフォーマットＣ２は、伝搬遅延に起因する長時間遅延に対抗するための十分な長さのプレフィックスおよびガード時間サフィックスを有する。したがって、ＩＡＢノードは、Ｂ４ランダムアクセスフォーマット等の別のフォーマットよりＣ２フォーマットランダムアクセス信号を使用することを好み得る。
【００４０】
図２は、ランダムアクセスフォーマットＢ４、Ａ１、およびＣ２信号構造を示す。
【００４１】
表１は、ランダムアクセスフォーマットＢ４、Ｃ２、およびＡ１のパラメータの実施例を示す。列ヘッダは、以下の略語を使用する。ＣＰは、巡回プレフィックスであって、ＧＰは、ガード時間であって、Ｔｓは、サンプリング点である。
【表１】
2021523642.tif 000003
【００４２】
しかしながら、新しい世代の通信システムの既存の草稿規格では、１つのみのランダムアクセス信号フォーマットが、同一ＢＷＰ（帯域幅部分）内に配分されることを可能にされ、同時に、フォーマットＢ４およびＣ２を構成することを可能にされない。フォーマットＢ４およびＣ２が、同時に構成される場合、２つのフォーマットのプレフィックス長が異なることから、有効短シーケンスシンボルの相対的開始点が異なるため、これは、タイミング判定に曖昧性を生じさせ得る。加えて、２つのフォーマットによってサポートされる短シーケンスシンボルの数は、異なるため、ランダムアクセスプリアンブル信号は、より長いフォーマットにおいて盲目的に検出されることができず、これは、アクセス失敗を生じさせ得る。したがって、２つ以上のランダムアクセス信号フォーマットが、同一帯域幅部分（ＢＷＰ）のために可能性として考えられるとき、伝送によって実際に使用されているランダムアクセス信号フォーマットのタイプは、事実上、本明細書に説明される技法を使用して、基地局側において区別されることができる。以下の４つの実施例は、関連ソリューションを図示する。
【００４３】
実施形態実施例１：標準カバレッジにおけるＩＡＢノードのランダムアクセス信号のためのリソース配分スキーム
【００４４】
図１に示されるように、ＩＡＢノード１は、ＩＡＢドナーの標準カバレッジ内にある。標準カバレッジは、ＩＡＢノードではない通常の端末がサポートし得る、最大カバレッジを指す。標準カバレッジでは、コード分割、具体的には、ランダムアクセスプリアンブルインデックスの範囲内のＩＡＢノードの具体的インデックスが、標準端末から区別するために使用されることができる。一般に、次世代モバイル通信システムにおけるＢＷＰは、端末が、６４個のランダムアクセスプリアンブル間でランダムに選択することをサポートする。これに加え、いくつかの実施形態は、６４個のランダムプリアンブルインデックスのうちのいくつかがＩＡＢノード専用であるというルールに従ってもよく、基地局は、受信されたランダムアクセスプリアンブルのインデックスをあらゆる可能性として考えられるプリアンブル（例えば、６４個のプリアンブル）から識別し、次いで、インデックスが、ランダムアクセスインデックスの専用部分から、または非専用部分からであるかどうかをチェックすることによって、受信されたランダムアクセスプリアンブルシーケンスが、ＩＡＢノードによって、または非ＩＡＢノードによって送信されたかどうかを識別することができる。
【００４５】
実施形態実施例２：標準カバレッジ外のＩＡＢノードのランダムアクセス信号のためのリソース配分スキーム
【００４６】
図１に示されるように、ＩＡＢノード３は、ＩＡＢドナーの標準カバレッジ外にある。ここでは、「標準」カバレッジは、ＩＡＢドナーである、対応する基地局のためのカバレッジの公称範囲を指し得る。通常の端末とのカバレッジにおける差異、例えば、ＩＡＢドナーとＩＡＢノードとの間の無線チャネルの異なる物理層特性に起因して、いくつかの実施形態では、ＩＡＢノードは、カバレッジ向上のために具体的に使用される、フォーマットＣ２を使用して等、異なるランダムアクセスプリアンブルフォーマットを使用して、向上されたカバレッジの必要性を満たしてもよい。
【００４７】
次世代モバイル通信システムのためのランダムアクセスプリアンブルシーケンスのセットは、複数回、ルートシーケンスを周期的にシフトさせることによって取得されてもよい。同一ルートシーケンス下の全ての巡回シフトが、ＢＷＰ内の６４個のインデックスを満たさない場合、実施形態は、合計６４個のインデックスが生成されるまで、より多くのルートシーケンスを使用して、より多くのランダムアクセスシーケンスインデックスを生成すべきである。巡回シフト（Ｎｃｓ）のサイズは、単一ルートシーケンス下で生成され得る、シーケンスの数を判定する。Ｎｃｓが大きいほど、生成され得るシーケンスは、少なく、その逆も同様である。Ｎｃｓの値は、ゼロ相関窓の要件を満たすべきであるため、その値は、セルのカバレッジエリアのサイズに依存する。セルのカバレッジエリアが大きいほど、Ｎｃｓの値は、大きくなるはずであって、カバレッジエリアが小さいほど、Ｎｃｓの値は、小さくなる。ＩＡＢノード３のカバレッジは、標準端末のものより大きいため、ＩＡＢノード３のＮｃｓ＿ＩＡＢは、標準端末またはＵＥのランダムアクセスシーケンスの巡回シフトＮｃｓ＿ＵＥより大きくなるはずである。
【００４８】
Ｎｃｓが異なる場合、ランダムアクセスプリアンブルシーケンスのＩＡＢノードのルートシーケンスは、通常の端末のランダムアクセスルートシーケンスと同一であるべきではない。さらに、そのルートシーケンスは、通常の端末のランダムアクセスルートシーケンスから独立すべきである。標準端末のランダムアクセスルートシーケンスおよびＮｃｓに加え、本システムはまた、ＩＡＢノードのための独立ランダムアクセスルートシーケンスおよびＮｃｓ＿ＩＡＢを構成するべきである。ＩＡＢ特有のルートシーケンスおよびＮｃｓ＿ＩＡＢは、ＩＡＢノードのための利用可能なランダムアクセスシーケンスのセットを判定する。
【００４９】
実施形態実施例３：ＩＡＢノードと通常の端末との間のランダムアクセス信号の競合解消
【００５０】
通常の端末（例えば、ＵＥ）と比較して、ＩＡＢノードは、ネットワーク展開においてより小さい密度を有し、したがって、より少ないランダムアクセスリソースを要求する。したがって、ＩＡＢノードのためのランダムアクセス時間−周波数リソース配列は、通常のＵＥのためのものより疎隔となり得る。それでも、常時、２つ（ＩＡＢノードおよびＵＥ）の間で開始されるランダムアクセス伝送の衝突の発生の可能性が存在し、したがって、基本的に、通常の端末およびＩＡＢノードによって伝送されるランダムアクセスシーケンスが同一時間−周波数リソース上で衝突する問題を回避することができない。但し、ＩＡＢドナーノードの観点から、通常の端末およびＩＡＢノードによって送信されるランダムアクセスシーケンスが同一時間−周波数リソース上に衝突するとき、検出されたランダムアクセスシーケンスが、ＩＡＢ専用ランダムアクセスプリアンブルシーケンスであるかどうかを判定することが可能性として考えられ得る。ＩＡＢノードのランダムアクセスリソースとダウンリンク信号との間のマッピング関係および標準端末ランダムアクセスリソースとダウンリンク信号との間のマッピング関係は、同一ではなく、同一時間−周波数リソースが信号伝送のために使用されているとき、相互に衝突する２つのランダムアクセスフォーマットを伴う伝送の場合、最良受信ビームは、単に、基地局の受信側において考慮されることができず、これは、検出失敗の確率を大幅に増加させる。
【００５１】
図３は、ＩＡＢランダムアクセスの受信ビームと通常のユーザのランダムアクセスとの間の衝突の実施例を図示する。図３に示されるように、通常の端末は、Ｂ４フォーマットを使用する。タイムスロット内に適合し得る、１つのみのランダムアクセスシーケンス１が存在する。この場合、マッピングされたダウンリンク信号は、同期ブロック１（ＳＳＢ１）である。本構成では、ＩＡＢノードは、Ｃ２フォーマットを使用する。Ｃ２は、Ｂ４より短いため、２つの連続ランダムアクセスシーケンス２および３をタイムスロット内に有することが、可能性として考えられ、対応するマッピングされた同期ブロックは、２および３である。基地局は、本ランダムアクセス機会（ＲＯ：ＲＡＣＨ契機）では、同期ブロック１に対応する受信ビーム１または同期ブロック２および３に対応する受信ビーム２および３のいずれかを使用し得る。基地局が、ビーム１を使用する場合、これは、シーケンス２および３のための最良ビームではなく、基地局が、ビーム２およびビーム３を使用する場合、これらは、シーケンス１のための最良ビームではない。単一最良ビームは、全ての状況に適合されることができない。
【００５２】
したがって、競合問題を解決する１つの方法は、依然として、ＩＡＢノードのランダムアクセス時間−周波数リソースおよび通常の端末のランダムアクセス時間−周波数リソースを独立して構成し、それらの間に重複が存在しないことを確実にすることである。準最適方法は、両時間−周波数リソースの独立構成であるが、あるパーセンテージの重複を可能にする。実際、リソース限界のため、ＩＡＢノードおよび通常の端末のランダムアクセス時間−周波数リソースが、独立して構成されることができない場合、同一時間−周波数リソース上の対応するランダムアクセス契機によってマッピングされたダウンリンク信号が一貫することを確実にすることが有益である。
【００５３】
依然として、図３を実施例として取り上げると、通常の端末は、Ｂ４フォーマットを使用する。１つのみのランダムアクセスシーケンス１が、タイムスロット内に存在する。マッピングされたダウンリンク信号は、同期ブロック１であって、ＩＡＢノードは、Ｃ２フォーマットを使用し、２つのランダムアクセスシーケンスが１つのタイムスロット内に存在する。連続ランダムアクセスシーケンス２および３はまた、１のマッピングされた同期ブロックを有していなければならない。本特定のマッピング関係は、タイムスロット内の利用可能なＢ４およびＣ２の数の比率が、判定され、ダウンリンク信号とランダムアクセス契機との間のマッピング関係が、本比率に従って設定され得るため、実装することが困難ではないことを保証する。例えば、ダウンリンク信号とランダムアクセス機会との間のマッピング関係が、Ｂ４フォーマットのために１：１に設定される場合、Ｃ２フォーマットにおいて構成されるダウンリンク信号とランダムアクセス機会との間のマッピング関係は、１：２である。
【００５４】
実施形態実施例４：ＩＡＢノードおよびＩＡＢ端末のランダムアクセス信号の競合解消
【００５５】
ＩＡＢノードは、ネットワークノードおよび端末のハイブリッドである。ノード自体は、独立セル識別子（セルＩＤ）および独立無線リソース管理能力を有する。ＩＡＢノードは、ＩＡＢノードのカバレッジ内のＩＡＢ端末のために、通常の端末から独立して、ランダムアクセスパラメータを構成することができる。ＩＡＢノードによって制御される従来のカバレッジは通常のアンカ基地局のもの、よりはるかに小さく、ＩＡＢのマルチアンテナ能力もまた、アンカ基地局のものと異なるため、また、通常の端末のランダムアクセスパラメータから独立して、ＩＡＢノードのカバレッジ内のＩＡＢ端末を構成することが有用である。例えば、ランダムアクセスフォーマットＡ１は、ＩＡＢノードのカバレッジ内のＩＡＢ端末のために構成され、アンカノードまたはＩＡＢ親ノード基地局の制御下、端末のランダムアクセスフォーマットは、Ｂ４であって、ランダムアクセスフォーマットＡ１シーケンスの全長は、より短い。これは、フォーマットを非常に小さいカバレッジを伴うセルのために好適なものにし、また、通常の端末によって送信されるランダムアクセス信号への干渉の制御を促進する。ＩＡＢノードは、したがって、標準端末およびＩＡＢノードから独立して、ＩＡＢ端末をランダムアクセスルートシーケンスおよびＮｃｓで構成すべきである。
【００５６】
ＩＡＢノードによってＩＡＢ端末に対して構成される、ランダムアクセスプロシージャのパラメータはまた、ＩＡＢドナーまたはＩＡＢ親ノードに報告されてもよい。対応するランダムアクセスリソースパラメータを報告することは、ＩＡＢドナーまたはＩＡＢ親ノードにとって、ＩＡＢ端末のＲＡＣＨアクセスリンクとの衝突を回避するように、ＩＡＢノードおよびＩＡＢノードのＲＡＣＨリソースを適切に構成し、ＩＡＢ端末のＲＡＣＨリソースに従って、ダウンリンクバックホールリンクリソースを受信するために有益である。アクセスリンク上のリソース競合を解決することは、特に、ＩＡＢが、波長分割多重化を使用して、戻りリンクおよびアクセスリンクを隔離するとき、重要である。
【００５７】
図４は、無線通信の方法４００のフローチャート描写である。方法４００は、第１の通信ノードによって、第１の通信ノードと第２の通信ノードとの間の第１の通信リンク上で第２の通信ノードによるランダムアクセスプロシージャに関連する第１のパラメータのセットを構成すること（４０２）と、第２の通信ノードから、第１の通信リンク上で第１のパラメータのセットを使用する、ランダムアクセス信号を受信すること（４０４）とを含む。第１の通信ノードはまた、少なくともいくつかの伝送リソースを第１の通信リンクと共有する、第２の通信リンクを介して、無線コネクティビティを第３の通信ノードに提供する。第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む。
【００５８】
図５は、無線通信の例示的方法５００のフローチャート描写である。方法５００は、第１の通信ノードから、第１の通信ノードと第２の通信ノードとの間の第１の通信リンク上で第２の通信ノードによるランダムアクセスプロシージャに関連する第１のパラメータのセットを受信すること（５０２）と、第２の通信ノードから、第１の通信リンク上で第１のパラメータのセットを使用する、ランダムアクセス信号を伝送すること（５０４）とを含む。第１の通信ノードはまた、少なくともいくつかの伝送リソースを第１の通信リンクと共有する、第２の通信リンクを介して、無線コネクティビティを第３の通信ノードに提供する。第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む。
【００５９】
方法４００および５００を参照すると、いくつかの実施形態では、第１の通信ノードは、ＩＡＢ親ノード（例えば、基地局または別のネットワークノード）であってもよい。そのような場合、第２の通信ノードは、ＩＡＢノードであってもよく、第１の通信リンクは、バックホールリンクであってもよい。いくつかの実施形態では、第１の通信ノード、例えば、ＩＡＢ親ノードはまた、無線コネクティビティをユーザデバイスまたはＵＥ等の第３の通信ノードに提供するように構成されてもよい。そのような場合、第１の通信ノードと第３の通信ノードとの間の通信リンクは、ユーザデバイスへ／からおよび基地局から／への無線チャネルであってもよい。
【００６０】
方法４００および５００を参照すると、いくつかの実施形態では、第１のパラメータのセット内のランダムアクセスフォーマットの構成は、第２の通信リンクを使用したランダムアクセスのために第３のノードによって使用される第２のパラメータのセット内のランダムアクセスフォーマットに関連せず、したがって、これらのパラメータは、独立して割り当てられ得る。
【００６１】
説明されるように、ランダムアクセスチャネルプロシージャと関連付けられるパラメータのうちのいくつかは、方法４００および５００の間に使用されてもよい。これらのパラメータは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースを含んでもよい。さらに、これらのパラメータは、第１および第２の通信リンク上に独立して割り当てられてもよい。例えば、これらの割当は、各通信リンクの条件に基づいてもよく、一方のリンク上での使用のために選択すべきパラメータに関して行われる決定は、他方のリンクに関して行われる決定にいかなる影響も及ぼし得ない。いくつかの実施形態では、第２の通信ノード（例えば、ＩＡＢノード）は、無線コネクティビティを別のネットワークノードに提供してもよい。本別のネットワークノードは、ＩＡＢノードであってもよい、またはＵＥであってもよい。
【００６２】
図６は、無線通信装置６００の実施例を示す。装置６００は、方法４００または５００もしくは本書に説明される他の技法を実装してもよい。装置６００は、例えば、本明細書に説明される、第１の通信ノード、第２の通信ノード、または第３の通信ノードであってもよい。例えば、装置６００は、基地局（例えば、ｅＮＢまたはｇＮＢ）の機能性を実装してもよい。いくつかの実施形態では、装置６００は、スマートフォン、ＩｏＴデバイス、ラップトップ、タブレット等のユーザデバイスを実装するために使用されてもよい。
【００６３】
装置６００は、１つ以上のプロセッサ６１０を含む。装置６００は、１つ以上のメモリ６２０を含んでもよい。装置６００は、１つ以上の伝送機６３０を含んでもよい。装置６００は、１つ以上の受信機６４０を含んでもよい。プロセッサ６１０は、コードを実行し、方法４００または方法５００等の無線通信方法を実装するように構成されてもよい。メモリ６２０は、プロセッサ実行可能コード、データ、無線通信方法の実行の間の中間計算の結果等を記憶するために使用されてもよい。伝送機６３０は、ネットワークインターフェースを介して、本明細書に説明される種々のメッセージおよび信号のうちの少なくともいくつかを伝送するように構成されてもよい。受信機６４０は、ネットワークインターフェースを介して、本明細書に説明される信号およびメッセージのうちの少なくともいくつかを受信するように構成されてもよい。装置６００は、例えば、セルラー無線およびバックホール接続上で通信を実施するための複数の伝送機および／または受信機を使用してもよい。
【００６４】
本書に説明される、開示される実施形態および他の実施形態、モジュール、ならびに機能動作は、デジタル電子回路構成内、もしくは本書に開示される構造およびその構造均等物を含む、コンピュータソフトウェア、ファームウェア、またはハードウェア内、もしくはそれらのうちの１つ以上の組み合わせ内に実装されることができる。開示される実施形態および他の実施形態は、１つ以上のコンピュータプログラム製品、すなわち、データ処理装置による実行のための、またはその動作を制御するために、コンピュータ可読媒体上にエンコーディングされたコンピュータプログラム命令の１つ以上のモジュールとして実装されることができる。コンピュータ可読媒体は、機械可読記憶デバイス、機械可読記憶基板、メモリデバイス、機械可読伝搬信号をもたらす組成物質、またはそれらのうちの１つ以上の組み合わせであることができる。用語「データ処理装置」は、データを処理するためのあらゆる装置、デバイス、および機械を包含し、一例として、プログラマブルプロセッサ、コンピュータ、または複数のプロセッサもしくはコンピュータを含む。装置は、ハードウェアに加え、当該コンピュータプログラムのための実行環境を作成するコード、例えば、プロセッサファームウェア、プロトコルスタック、データベース管理システム、オペレーティングシステム、またはそれらのうちの１つ以上の組み合わせを構成するコードを含むことができる。伝搬される信号は、人工的に生成された信号、例えば、好適な受信機装置への伝送のために情報をエンコーディングするように生成される、機械生成された電気、光学、または電磁信号である。
【００６５】
コンピュータプログラム（プログラム、ソフトウェア、ソフトウェアアプリケーション、スクリプト、またはコードとしても知られる）は、コンパイル型またはインタープリタ型言語を含む、任意の形態のプログラミング言語で記述されることができ、独立型プログラムとして、またはモジュール、コンポーネント、サブルーチン、もしくはコンピューティング環境において使用するために好適な他のユニットとしてを含む、任意の形態で展開されることができる。コンピュータプログラムは、必ずしも、ファイルシステム内のファイルに対応しない。プログラムは、他のプログラムまたはデータ（例えば、マークアップ言語ドキュメント内に記憶される１つ以上のスクリプト）を保持する、ファイルの一部内、当該プログラム専用の単一ファイル内、もしくは複数の協調ファイル（例えば、１つ以上のモジュール、サブプログラム、またはコードの一部を記憶する、ファイル）内に記憶されることができる。コンピュータプログラムは、１つのコンピュータ上、または１つの敷地に位置する、もしくは複数の敷地を横断して分散され、通信ネットワークによって相互に接続される、複数のコンピュータ上で実行されるように展開されることができる。
【００６６】
本書に説明されるプロセスおよび論理フローは、１つ以上のコンピュータプログラムを実行し、入力データに作用し、出力を生成することによって、機能を実施する、１つ以上のプログラマブルプロセッサによって実施されることができる。プロセスおよび論理フローはまた、特殊目的論理回路構成、例えば、ＦＰＧＡ（フィールドプログラマブルゲートアレイ）またはＡＳＩＣ（特定用途向け集積回路）によって実施されることができ、装置はまた、そのようなものとして実装されることができる。
【００６７】
コンピュータプログラムの実行のために好適なプロセッサは、一例として、一般的および特殊目的マイクロプロセッサの両方ならびに任意の種類のデジタルコンピュータの任意の１つ以上のプロセッサを含む。概して、プロセッサは、命令およびデータを読取専用メモリまたはランダムアクセスメモリもしくは両方から受信するであろう。コンピュータの不可欠な要素は、命令を実施するためのプロセッサと、命令およびデータを記憶するための１つ以上のメモリデバイスとである。概して、コンピュータはまた、データを記憶するための１つ以上の大容量記憶デバイス、例えば、磁気、光磁気ディスク、または光ディスクを含む、またはそこからデータを受信する、またはそこにデータを転送する、もしくは両方を行うように動作可能に結合される。しかしながら、コンピュータは、そのようなデバイスを有する必要はない。コンピュータプログラム命令およびデータを記憶するために好適なコンピュータ可読媒体は、一例として、半導体メモリデバイス、例えば、ＥＰＲＯＭ、ＥＥＰＲＯＭ、およびフラッシュメモリデバイス、磁気ディスク、例えば、内部ハードディスクまたはリムーバブルディスク、光磁気ディスク、ならびにＣＤ  ＲＯＭおよびＤＶＤ−ＲＯＭディスクを含む、あらゆる形態の不揮発性メモリ、媒体、およびメモリデバイスを含む。プロセッサおよびメモリは、特殊目的論理回路構成によって補完される、またはその中に組み込まれることができる。
【００６８】
本書は、多くの詳細を含有するが、これらは、請求される発明の範囲または請求され得る内容に関する限界としてはなく、むしろ、特定の実施形態に特有の特徴の説明として解釈されるべきである。別個の実施形態のコンテキストにおいて本書に説明されるある特徴はまた、単一実施形態において組み合わせて実装されることができる。逆に言えば、単一実施形態のコンテキストに説明される種々の特徴もまた、別個に、または任意の好適な副次的組み合わせにおいて、複数の実施形態に実装されることができる。さらに、特徴は、ある組み合わせにおいて作用するように上記に説明され得るが、最初は、そのように請求される場合でも、請求される組み合わせからの１つ以上の特徴は、ある場合には、組み合わせから除外されることができ、請求される組み合わせは、副次的組み合わせまたは副次的組み合わせの変形例を対象とし得る。同様に、動作は、特定の順序において図面に描写されるが、これは、そのような動作が、示される特定の順序において、または順次順序において実施されること、もしくは全ての図示される動作が望ましい結果を達成するために実施されることを要求するものとして理解されるべきではない。
【００６９】
いくつかの実施例および実装のみが、開示される。説明される実施例および実装ならびに他の実装の変形例、修正、および向上が、開示される内容に基づいて行われることができる。
【図１】
2021523642.tif 000004
【図２】
2021523642.tif 000005
【図３】
2021523642.tif 000006
【図４】
2021523642.tif 000007
【図５】
2021523642.tif 000008
【図６】
2021523642.tif 000009
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
無線通信のための方法であって、
第１の通信ノードによって、ランダムアクセスプロシージャに関連する第１のパラメータのセットを構成することであって、前記ランダムアクセスプロシージャは、前記第１の通信ノードと第２の通信ノードとの間の第１の通信リンク上で前記第２の通信ノードによって実施される、ことと、
前記第２の通信ノードから、前記第１の通信リンク上で前記第１のパラメータのセットを使用する、ランダムアクセス信号を受信することと
を含み、
前記第１の通信ノードと第３の通信ノードとの間の第２の通信リンクは、少なくともいくつかの伝送リソースを前記第１の通信リンクと共有し、
前記第１のパラメータのセットは、ランダムアクセス時間−周波数リソースを含み、
伝送リソースの時間ドメインリソースは、前記第２の通信ノードおよび前記第３の通信ノードのために独立して構成される、方法。
【請求項２】
前記第１のパラメータのセットは、ランダムアクセスフォーマット、ランダムアクセスシーケンスルートシーケンスインデックス、およびランダムアクセス巡回シフトをさらに含む、請求項１に記載の方法。
【請求項３】
前記第２の通信ノードのために構成される前記伝送リソースおよび前記第３の通信ノードのために構成される前記伝送リソースは、部分的に互いに重複する、請求項１に記載の方法。
【請求項４】
前記第３の通信ノードのために構成される前記伝送リソースの時間ドメインリソースの配列は、前記第２の通信ノードのために構成される前記伝送リソースの時間ドメインリソースの配列より疎隔である、請求項１に記載の方法。
【請求項５】
無線通信のための方法であって、
第２の通信ノードによって、第１の通信ノードから、ランダムアクセスプロシージャに関連する第１のパラメータのセットを受信することであって、前記ランダムアクセスプロシージャは、前記第１の通信ノードと前記第２の通信ノードとの間の第１の通信リンク上で前記第２の通信ノードによって実施される、ことと、
前記第２の通信ノードによって、前記第１の通信リンク上で前記第１のパラメータのセットを使用する、ランダムアクセス信号を伝送することと
を含み、
前記第１の通信リンクは、少なくともいくつかの伝送リソースを、前記第１の通信ノードと第３の通信ノードとの間の第２の通信リンクと共有し、
前記第１のパラメータのセットは、ランダムアクセス時間−周波数リソースを含み、
伝送リソースの時間ドメインリソースは、前記第２の通信ノードおよび前記第３の通信ノードのために独立して構成される、方法。
【請求項６】
前記第１のパラメータのセットは、ランダムアクセスフォーマット、ランダムアクセスシーケンスルートシーケンスインデックス、およびランダムアクセス巡回シフトをさらに含む、請求項５に記載の方法。
【請求項７】
前記第２の通信ノードのために構成される前記伝送リソースおよび前記第３の通信ノードのために構成される前記伝送リソースは、部分的に互いに重複する、請求項５に記載の方法。
【請求項８】
前記第３の通信ノードのために構成される前記伝送リソースの時間ドメインリソースの配列は、前記第２の通信ノードのために構成される前記伝送リソースの時間ドメインリソースの配列より疎隔である、請求項５に記載の方法。
【請求項９】
プロセッサを備える無線通信装置であって、前記プロセッサは、請求項１に記載の方法を実装するように構成されている、無線通信装置。
【請求項１０】
プロセッサを備える無線通信装置であって、前記プロセッサは、請求項２に記載の方法を実装するように構成されている、無線通信装置。
【請求項１１】
プロセッサを備える無線通信装置であって、前記プロセッサは、請求項３に記載の方法を実装するように構成されている、無線通信装置。
【請求項１２】
プロセッサを備える無線通信装置であって、前記プロセッサは、請求項４に記載の方法を実装するように構成されている、無線通信装置。
【請求項１３】
プロセッサを備える無線通信装置であって、前記プロセッサは、請求項５に記載の方法を実装するように構成されている、無線通信装置。
【請求項１４】
プロセッサを備える無線通信装置であって、前記プロセッサは、請求項６に記載の方法を実装するように構成されている、無線通信装置。
【請求項１５】
プロセッサを備える無線通信装置であって、前記プロセッサは、請求項７に記載の方法を実装するように構成されている、無線通信装置。
【請求項１６】
プロセッサを備える無線通信装置であって、前記プロセッサは、請求項８に記載の方法を実装するように構成されている、無線通信装置。
【手続補正２】
【補正対象書類名】明細書
【補正対象項目名】０００７
【補正方法】変更
【補正の内容】
【０００７】
別の例示的側面では、本明細書に説明される種々の技法は、プロセッサ実行可能コードとして具現化され、コンピュータ可読プログラム媒体上に記憶されてもよい。
本願明細書は、例えば、以下の項目も提供する。
（項目１）
無線通信のための方法であって、
第１の通信ノードによって、前記第１の通信ノードと第２の通信ノードとの間の第１の通信リンク上で前記第２の通信ノードによるランダムアクセスプロシージャに関連する第１のパラメータのセットを構成することと、
前記第２の通信ノードから、前記第１の通信リンク上で前記第１のパラメータのセットを使用する、ランダムアクセス信号を受信することと
を含み、
前記第１の通信ノードはまた、少なくともいくつかの伝送リソースを前記第１の通信リンクと共有する、第２の通信リンクを介して、無線コネクティビティを第３の通信ノードに提供し、
前記第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む、方法。
（項目２）
前記第１の通信ノードは、前記第２の通信リンクを使用したランダムアクセスのために、前記第３の通信ノードによって使用される第２のパラメータのセット内の前記ランダムアクセスフォーマットから独立して、前記第１のパラメータのセット内に前記ランダムアクセスフォーマットを構成する、項目１に記載の方法。
（項目３）
前記第１の通信ノードは、第２のパラメータのセット内のランダムアクセスシーケンスインデックスセットから独立して、前記第１のパラメータのセット内に前記ランダムアクセスシーケンスインデックスセットを構成する、項目１に記載の方法。
（項目４）
前記第１の通信ノードは、第２のパラメータのセット内のランダムアクセスルートシーケンスインデックスおよびランダムアクセス巡回シフトから独立して、前記第１のパラメータのセット内に前記ランダムアクセスルートシーケンスインデックスおよびランダムアクセス巡回シフトを構成する、項目１に記載の方法。
（項目５）
前記第１の通信ノードは、前記第１の通信リンクおよび前記第２の通信リンクのために、前記ランダムアクセスシーケンスルートシーケンスインデックスを独立して構成する、項目１に記載の方法。
（項目６）
前記第１の通信ノードは、前記第２の通信ノードおよび第３の通信ノードのために、ランダムアクセス伝送のための伝送リソースを独立して構成する、項目１に記載の方法。
（項目７）
前記伝送リソースは、時間または周波数リソースを含み、前記第２の通信ノードのための伝送リソースおよび前記第３の通信ノードのための伝送リソースは、部分的に重複する、項目６に記載の方法。
（項目８）
無線通信の方法であって、
第１の通信ノードから、前記第１の通信ノードと第２の通信ノードとの間の第１の通信リンク上で前記第２の通信ノードによるランダムアクセスプロシージャに関連する第１のパラメータのセットを受信することと、
前記第２の通信ノードから、前記第１の通信リンク上で前記第１のパラメータのセットを使用する、ランダムアクセス信号を伝送することと
を含み、
前記第１の通信ノードはまた、少なくともいくつかの伝送リソースを前記第１の通信リンクと共有する、第２の通信リンクを介して、無線コネクティビティを第３の通信ノードに提供し、
前記第１のパラメータのセットは、ランダムアクセスフォーマット、ランダムアクセスシーケンスインデックスセット、ランダムアクセスシーケンスルートシーケンスインデックス、ランダムアクセス巡回シフト、およびランダムアクセス時間−周波数リソースのうちの１つ以上を含む、方法。
（項目９）
前記第１の通信ノードは、前記第２の通信リンクを使用したランダムアクセスのために、前記第３の通信ノードによって使用される第２のパラメータのセット内の前記ランダムアクセスフォーマットから独立して、前記第１のパラメータのセット内に前記ランダムアクセスフォーマットを構成する、項目８に記載の方法。
（項目１０）
前記第１の通信ノードは、第２のパラメータのセット内のランダムアクセスシーケンスインデックスセットから独立して、前記第１のパラメータのセット内に前記ランダムアクセスシーケンスインデックスセットを構成する、項目８に記載の方法。
（項目１１）
前記第１の通信ノードは、前記第２のパラメータのセット内のランダムアクセスルートシーケンスインデックスおよびランダムアクセス巡回シフトから独立して、前記第１のパラメータのセット内に前記ランダムアクセスルートシーケンスインデックスおよび前記ランダムアクセス巡回シフトを構成する、項目９に記載の方法。
（項目１２）
前記第１の通信ノードは、前記第１の通信リンクおよび前記第２の通信リンクのために、前記ランダムアクセスシーケンスルートシーケンスインデックスを独立して構成する、項目８に記載の方法。
（項目１３）
前記第１の通信ノードは、前記第２の通信ノードおよび前記第３の通信ノードのために、ランダムアクセス伝送のための伝送リソースを独立して構成する、項目８に記載の方法。
（項目１４）
前記伝送リソースは、時間または周波数リソースを含み、前記第２の通信ノードのための伝送リソースおよび前記第３の通信ノードのための伝送リソースは、部分的に重複する、項目１３に記載の方法。
（項目１５）
前記第２の通信ノードによって、前記第２の通信ノードが無線コネクティビティを提供する、別のネットワークノードのためのランダムアクセスパラメータを構成することをさらに含む、項目８に記載の方法。
（項目１６）
前記第２の通信ノードによって、前記第１の通信ノードに、前記別のネットワークノードのための前記ランダムアクセスパラメータを報告することをさらに含む、項目１５に記載の方法。
（項目１７）
プロセッサを備える無線通信装置であって、前記プロセッサは、項目１〜１６のいずれかに記載の方法を実装するように構成されている、無線通信装置。
（項目１８）
その上に記憶されたコンピュータ可読プログラム媒体コードを備える、コンピュータプログラム製品であって、前記コードは、プロセッサによって実行されると、前記プロセッサに、項目１〜１６のいずれかに記載の方法を実装させる、コンピュータプログラム製品。
【国際調査報告】
2021523642.tif 000010
2021523642.tif 000011